(57)【要約】      （修正有）【課題】草刈作業での飛び散る草木の破片や小石などから保護するとともに顔面の汚れを防止できる草刈用顔面保護具を提供する。【解決手段】両側辺１ａが顔面を覆って両耳Ｙの後ろまで達する横幅と、上辺と下辺１ｂが頭頂部から胸下まで達する縦幅とを有し、且つ通風性を有する材質の布体１に、頭頂部から胸下まで覆った際の両目Ｅの対応部位を切欠して目より大きいサイズの２個の開口部２、３を設ける。そして、布体１の両開口部２、３の縁から一定間隔離した位置に両開口部２、３を囲うメガネ枠状の着色した枠線を設ける。更に、布体１の両側の下部コーナー１ｃを内側へ斜めに折返して三角形の折返し部を形成し、各折返し部の縦辺部分と該縦辺部分に対面した布体１の表面とを両面付着テープで付着させて錘を入れるポケットを形成する。【選択図】図４
0003179714.tif 000002
【実用新案登録請求の範囲】
【請求項１】
両側辺が顔面を覆って両耳の後ろまで達する横幅と、上辺と下辺が頭頂部から胸下まで達する縦幅とを有し、且つ通風性を有する材質の布体に、
頭頂部から胸下まで覆った際の両目の対応部位を切欠して目より大きいサイズの２個の開口部を設けたことを特徴とする草刈用顔面保護具。
【請求項２】
両側辺が顔面を覆って一方の耳の後ろから他方の耳の後側の後頭部まで達する横幅と、上辺と下辺が頭頂部から胸下まで達する縦幅とを有し、且つ通風性を有する材質の布体に、
頭頂部から胸下まで覆った際の両目の対応部位を切欠して目より大きいサイズの２個の開口部を設けたことを特徴とする草刈用顔面保護具。
【請求項３】
布体の両開口部の周縁に着色した縁取り線を設けたことを特徴とする請求項１に記載の草刈用顔面保護具。
【請求項４】
布体の両開口部の周縁から一定間隔離した位置に、両開口部を囲うメガネ枠状の着色した枠線を設けたことを特徴とする請求項１又は２に記載の草刈用顔面保護具。
【請求項５】
各開口部又は両開口部よりも大きいサイズの透明樹脂製のフィルムと、該フィルムの周囲と前記布体の開口部の周囲とを付着可能とする付着手段とを備えたことを特徴とする請求項１から３のうちいずれかに記載の草刈用顔面保護具。
【請求項６】
布体の両側の下部コーナーを内側へ斜めに折返して三角形の折返し部を形成し、両折返し部の縦辺部分と該縦辺部分に対面した前記布体の表面とを付着可能とする付着手段を備えたことを特徴とする請求項１から４のうちいずれかに記載の草刈用顔面保護具。
【考案の詳細な説明】
【技術分野】
【０００１】
本考案はハンドルを備えた長柄の先端に円板刃やワイヤー刃等を装着した刃回転式草刈機を用いて草刈作業をする際に、刃に弾き飛ばされて周囲に飛散する草木の切断片や小石が作業員の顔面に直接当たるの防止し、顔面を保護するための草刈用顔面保護具に関する。
【背景技術】
【０００２】
刃回転式草刈機で草刈作業をする際には草の切断片等が多量に周囲に飛散するが、その際に、切断片が作業員の被服や顔面に多く降り掛かる。そこで、顔面を保護するために、例えば、帽子の庇の下に顔全体を覆う透明な硬質板を設け、更にその下に網体を設けた下記特許文献１「作業用帽子」が提案されている、
【先行技術文献】
【特許文献】
【０００３】
【特許文献１】特開２００２−６１０１６号公報
【考案の概要】
【考案が解決しようとする課題】
【０００４】
上記特許文献１の「作業用帽子」は帽子と硬質板及び網体とが一体となっており、硬質板は通気性がないので夏場では大変熱苦しく、高い湿度で硬質板の内面が曇って前が見え難くなる。又硬質板には草の樹液の付着と、小石による摺り傷の発生とが一緒になってこびり付いた汚れは拭き落とすのが容易ではない。更に網体には細かい草の破片が突き刺さり、これを落とすのも困難である。又、帽子に硬質板が固着されているので洗濯することもできず、一旦汚れたら捨てるしかなく、このため草刈費用が嵩むのを避けられない。
そこで本考案者は、顔面を覆うための構造や用いる素材等について工夫を重ね、草刈現場での多数の実験を行って本考案を完成できたものであり、本考案は草刈作業で飛び散る草木の破片や小石などからの顔面の保護と顔面の汚れを防止し、安価で使い捨て可能な器具を提供しようとするものである。
【課題を解決するための手段】
【０００５】
上記課題を解決するために、本考案の草刈用顔面保護具における請求項１に記載の考案は、両側辺が顔面を覆って両耳の後ろまで達する横幅と、上辺と下辺が頭頂部から胸下まで達する縦幅とを有し、且つ通風性を有する材質の布体に、頭頂部から胸下まで覆った際の両目の対応部位を切欠して目より大きいサイズの２個の開口部を設けたことを特徴とする。
【０００６】
請求項２に記載の考案は、両側辺が顔面を覆って一方の耳の後ろから他方の耳の後側の後頭部まで達する横幅と、上辺と下辺が頭頂部から胸下まで達する縦幅とを有し、且つ通風性を有する材質の布体に、頭頂部から胸下まで覆った際の両目の対応部位を切欠して目より大きいサイズの２個の開口部を設けたことを特徴とする。
【０００７】
請求項３に記載の考案は、上記考案において、前記布体の両開口部の周縁に着色した縁取り線を設けたことを特徴とする。
【０００８】
請求項４に記載の考案は、上記考案において、前記布体の両開口部の周縁から一定間隔離した位置に、両開口部を囲うメガネ枠状の着色した枠線を設けたことを特徴とする。
【０００９】
請求項５記載の考案は、上記考案において、前記両開口部よりも大きいサイズの透明樹脂製のフィルムと、該フィルムの周囲と前記布体の開口部の周囲とを付着可能とする付着手段とを備えたことを特徴とする。
【００１０】
請求項６に記載の考案は、上記考案において、前記布体の両側の下部コーナーを内側へ斜めに折返して三角形の折返し部を形成し、両折返し部の縦辺部分と該縦辺部分に対面した前記布体の表面とを付着可能とする付着手段を備えたことを特徴とする。
【考案の効果】
【００１１】
本考案は、帽子、紐、輪ゴム及びバンド等を利用して頭部で布体の上部を抑え、該布体を顔面を隠すように下に垂らし、該布体の下側は胸に掛かる部分を草刈機支持用肩掛けベルトで抑えて使用することで、草刈作業中での飛び散る草木の破片や小石等が布体の内部には入り込まず、顔面全体を保護することが可能となる。
そして、前記布体の上からメガネやゴーグルを使用することで、前記開口部から草木の破片や小石が飛び込むのを完全に防止することが可能となる。
【００１２】
草刈使用中は、布体で顔全体が覆われていても通風性を備えているので顔が蒸れず、又、布体は軽いので作業に支障とはならない。
又、全体の構造は極めて簡潔であり、布体が汚れてしまっても、安価なので使い捨てしてもコストは低く抑えられる。
【００１３】
請求項２に記載の考案においては、前記布体の横幅を一方を長くし、その長い方を後頭部まで達する横幅ｗａとしたので、その長い方を草刈機の刃の回転方向に合わせて装着することで、上記考案の効果に加え、草刈機の刃の回転方向によって偏って飛散する草を耳の後側まで守ると共により多く受け止めて、左右に偏る汚れを有効に防止することが可能となる。
【００１４】
請求項３に記載の考案においては、装着する際に、前記両開口部の周縁の着色した縁取り線が装着するときの目の位置を決める目安となって容易に顔面に装着することが可能となる。
【００１５】
請求項４に記載の考案においては、装着する際に、メガネ枠状の着色した枠線が装着する際の位置の目安となって容易に顔面に装着することができ、草刈作業中には前記枠線が目線から離れることで視野に入らず殆ど気にならない。
【００１６】
請求項５に記載の考案においては、前記両開口部が透明樹脂製のフィルムで塞がれるので、目に草木の破片や小石が入るおそれがなくなる。このため、メガネやゴーグルの装着は必ずしも必要ではなくなる。
又、近眼の人ではメガネをフィルムの内側に使用すれば、日常使用しているメガネを全く汚さないで草刈作業を行うことが可能となる。
【００１７】
請求項６に記載の考案においては、前記布体の両側の下部コーナーに形成されたポケットに小石やコインなどの小さい錘を入れることができるようになり，その錘の荷重で布体が下に張られて垂れ、その布体の上部が不規則に変形して鼻以外の顔面に接触するのを防止することが可能となる。
【図面の簡単な説明】
【００１８】
【図１】本考案の草刈用顔面保護具を示す正面図である。
【図２】別の形態の草刈用顔面保護具を示す正面図である
【図３】ゴーグルを掛けて使用した状態を示す正面図である。
【図４】両開口部に縁取り線を設けた形態の使用状態を示す正面図である。
【図５】布体に枠線を有し、ポケットを設けた形態の使用状態を示す正面図である。
【図６】開口部にフィルムを固着した形態の使用状態を示す正面図である。
【図７】（イ）は開口部に両目用フィルムを着脱可能とした形態の使用状態を示す正面図、（ロ）は両面粘着テープと両目用フィルムの正面図である。
【考案を実施するための形態】
【００１９】
本考案の草刈用顔面保護具の実施形態を以下図に基づいて説明する。
【００２０】
本考案は、図１に示すように、両側辺１ａが顔面側から両耳Ｅの後ろ側まで達する横幅ｗと、上辺１ｄと下辺１ｂが頭頂部から胸下まで達する縦幅ｈとを有する布体１を用いる。
【００２１】
前記横幅については、図２に示すように、両側辺が顔面側から片耳の後ろ側と後頭部側まで達する横幅ｗａとする形態とすることも可能である。この形態では、草刈機の刃の回転方向によって、刈り取った草の飛散して来る方向が左右いずれかに大きく偏るので、その飛散して来る方向に横幅を広くし、その広い面で草の飛散を耳の後ろ側までより有効に受けようとするものである。
【００２２】
そして、図１に示すように、該布体１に、頭頂部から胸下まで覆った際の両目Ｅの対応部位を切欠して目Ｅより大きいサイズの２個の開口部２、３を設ける。
前記布体１は透かすと中が見える程薄くて軽い通風性の優れた肌理の細かい不織布等の布状物が使用できる。
【００２３】
使用する布体１のサイズは、例えば、図１の形態では、通常右耳Ｙから左耳Ｙの後ろまでの長さは４０ｃｍ程度あるので、横幅ｗはそれより少し長い４２ｃｍとし、縦幅ｈは頭頂部から胸が隠れるまでの長さである７０ｃｍとする。
そして、上辺１ｄから１５ｃｍ下に、縦中心に対して左右対称に、縦中心の両側４〜５ｃｍの位置が開口中心となる縦が２〜５ｃｍで横が５〜６ｃｍの楕円状の開口部２、３を設ける。前記開口部２、３間には布体１を１〜２ｃｍ幅で繋がるように残し、開口部２、３の変形を防ぐ。
なお、前記開口部２、３の形状は楕円状に限定するものではなく台形や長方形等であっても良い。
以上の如く、薄くて軽い通風性の優れた材質の不織布等の布体１が得られれば、上記サイズの開口部２、３をカットして容易に完成させることができる。
又、図２の形態では、図２に示すように、前記図１の形態における布体１の一方の横幅に８ｃｍ加えた５０ｃｍの横幅ｗａとすることができる。
【００２４】
本考案を使用する際には、図３に示すように、前記開口部２、３を目Ｅの位置に合わせ、その上からゴーグルＧを耳Ｙの上に布体１を挟んで掛ける。そして、該布体１の上部を抑えるために頭部との間に布体１の上部を挟んで帽子Ｃを被る。
ゴーグルＧやサングラス等を装着するので、草木の破片や小石を避けるため、前記開口部の大きさはゴーグルＧ等よりも小さく、且つ作業に必要な視野を確保できる大きさが必要である。このため通常のメガネのレンズより少し小さいサイズとすることが好ましい。
草刈作業では、草刈機支持用肩掛けベルトＢを肩から腰に掛けて、腰で草刈機を支えるが、このとき布体１の側辺部１ａと下辺部１ｂとを広げて、前記機草刈機支持用肩掛けベルトＢの前の胸部分で、頭から下に垂らした部分を挟んで止める。
【００２５】
そして草刈作業を開始すると、草木の破片や小石が飛び散って身体の前面が汚れるが、その際、胸部分を肩掛けベルトＢで抑えられた布体１の下からは草木の破片や小石は布体１の中までは入ることができない。そして、顔面に直接接触するのは鼻に頭部分であり、他は隙間空間があるため接触せず、小石などが布体１に当たっても直接顔面には当たらずに顔面の全体が保護される。
前記布体１の表面には草木の破片や小石が当たって布体１自体は汚れるが、顔は全く汚れない。
【００２６】
草刈作業で使用中は、布体１で顔全体が覆われていても通風性を備えているので夏の暑い日の作業でも顔が蒸れることがなく、又、布体１は軽いので草刈作業に障害を来たすこともない。
以上の如く本考案は全体の構造は簡潔であり、布体１は透明なプラスチック板等よりも安価に得られるので使い捨て使用も容易である。
【００２７】
本考案を使用する際に、顔面に当てて開口部２、３を目Ｅの位置に合わせようとするとき、薄い布体１は開口部２、３の境が必ずしも明瞭とはならない場合がある、その場合、目Ｅと開口部２、３との中心位置が合わせられず、ずれてしまうことがあるが、図４に示すように、布体１の両開口部２、３の周縁部分に赤や青等の目立つ色で縁取るように着色した縁取り線４を設けることで、目Ｅに対して開口部２、３を正確な位置で合わせることが容易となり、顔面に正確に装着することが可能となる。
【００２８】
又、図５に示すように、前記布体１の両開口部２、３の縁から一定の距離を離して、両開口部２、３を囲うように赤や青等の目立つ色のメガネ枠状に描いた枠線５を設けることの可能である。
この形態では、前記枠線５によって布体１の両開口部２、３の位置が明確となり、この結果、顔面に対して正確な位置に容易に装着することが可能となる。
又、草刈作業中はその枠線５は開口部２、３から離れているので、作業中の視野から外に離れて見えるため、殆ど気にならずに草刈作業が行える。
【００２９】
又、図６に示すように、前記布体１の開口部２、３を夫々透明樹脂製のフィルム６で覆う形態が可能である。
この形態では、前記布体１の両開口部２、３よりも大きいサイズの２枚の透明樹脂製のフィルム６と、該フィルム６の周囲と前記布体１の開口部２、３の周囲とを付着可能とする付着手段とを備える。
該付着手段としては接着剤や両面粘着テープ７を使用することができ、この場合には、前記布体１の両開口部２、３に前記フィルム６を付着することが可能となる。
このため、前記フィルム６で塞がれた両開口部２、３からは草刈作業中に飛び散る草木の破片や小石は布体１内に入り込めなくなる。
従ってこの形態では、両開口部２、３を塞ぐためのメガネやゴーグルＧ等を使用する必要もなくなる。
又、近眼の人ではメガネを前記フィルム６の内側に使用すれば、日常使用しているメガネを汚すことがなく、安心して草刈作業を行うことが可能となる。
【００３０】
又、前記両開口部２、３には、図７に示すように、両面粘着テープ９を用いて両目用フィルム８を貼り付ける態様も可能である。
図７の（イ）は、両目に前記両目用フィルム８を装着した状態を示し、図７の（ロ）は装着する前の両目用フィルム８と、これを付着させるための両面粘着テープ９を別々に示している。
前記付着手段として前記両面粘着テープ９を使用する場合には、前記両目用フィルム８と両面粘着テープ９とを付着させずに前記布体１とは別に分けて販売し、使用する草刈現場で、ゴーグルＧ等を使用する場合やそれを使用しない場合等の現場の事情に応じて、前記布体１の開口部２、３に前記両目用フィルム８を装着することが可能となる。
なお、使用する前記透明樹脂製の両目用フィルム８は厚手のフィルムや薄いプレート状に近いフィルムを用いても良い。
【００３１】
前記フィルム６、８は、前記布体１の表面側又は裏面側に貼ることが可能であるが、裏面側に貼ると、表側の開口部下側の両面粘着テープ７の上側に、開口部の下側の縁が上向きとなったポケットが形成され易くなるので、刈り取った草や小石がそのポケットの中に入って汚れる場合があり、逆に前記フィルム６、８を前記布体１の表面側に貼ると、表側にできるポケットが下向きとなってその中に草や小石が全く入らない。
このため、前記フィルム６、８は前記布体１の表面側に貼る方が好ましい。
【００３２】
又、図５に示すように、前記布体１の下部コーナー１ｃに、小さい錘ｋを入れる小さいポケット１０を設ける形態が可能である。
この形態では、同図４に示すように、前記布体１の両側の下部コーナー１ｃを内側へ５ｃｍ程度斜めに折返して三角形の折返し部１２を形成する。そして前記両折返し部１２の縦辺部分と該縦辺部分に対面した布体１の表面とを付着させる両面粘着テープ１１を備える。
そして、前記布体１の折返し部１２の縦辺部分に両面粘着テープ１１を対面させて貼ることで、布体１の両側の下部コーナー１ｃに、小さな錘ｋが収納可能となる上に開いたポケット１０が得られる。
前記布体１の下部コーナー１ｃの折り曲げる向きは、表折り又は裏折りのいずれも形成することが可能であるが、表折りとすると、刈り取った草や小石がポケット１０の中に入り易く、裏折りとすると入らない。このため、裏折りとする方が好ましい。
【００３３】
前記ポケット１０を形成するための前記両面粘着テープ１１は付着手段の１態様であり、前記両面粘着テープ１１の他に接着剤等を用いることも可能である。
そして、前記ポケット１０には小さい石やコインなどの小さくて重い錘ｋを入れることで，布体１の下部が錘の荷重で下方へ引かれるように垂れ下がる。この結果、前記布体１の上部に不規則な変形が発生するのが防止でき、布体１が顔に接触するおそれがなくなる。
【産業上の利用可能性】
【００３４】
本考案の草刈用顔面保護具は、主として刃回転式の草刈機に肩掛けベルトを肩から腰に掛けて備え、長柄の中間を腰で支えて草刈作業を行うタイプの草刈機と一緒に使用するものであるが、これに限定するものではなく、草や小石のように小片や粉粒状の物質が周囲に飛び散ることのある製材現場や建築物解現場等での作業の際にも飛散する小片等から顔面を守るため広く利用することが可能である。
【符号の説明】
【００３５】
１    布体
１ａ  布体の側辺部
１ｂ  布体の下辺部
１ｃ  布体の下部コーナー
２    開口部
３    開口部
４    縁取り線
５    枠線
６    フィルム
７    両面粘着テープ
８    両目用フィルム
９    両面粘着テープ
１０  ポケット
１１  両面粘着テープ
１２  折返し部
Ｃ    帽子
Ｂ    草刈機支持用肩掛けベルト
Ｙ    耳
Ｅ    目
Ｇ    ゴーグル
ｋ    錘
ｗ  横幅
ｈ  縦幅
【図１】
0003179714.tif 000003
【図２】
0003179714.tif 000004
【図３】
0003179714.tif 000005
【図４】
0003179714.tif 000006
【図５】
0003179714.tif 000007
【図６】
0003179714.tif 000008
【図７】
0003179714.tif 000009